(57)【特許請求の範囲】
【請求項１】
表示装置に複数のコンテンツを順次表示させる表示制御装置における動作状態を監視装置で監視して、障害状態にある場合には前記表示制御装置を再起動して復帰させる障害復帰方法であって、
前記表示制御装置が、表示コンテンツを切り替える際に、これから表示するコンテンツを前記表示装置に出力すると共に前記コンテンツを示す情報を画面切替情報として前記監視装置に送信し、
前記監視装置が、前記送信された画面切替情報を受信して記憶しておき、画面切替情報が予め設定された特定時間に亘って受信されない場合に、前記表示制御装置が障害状態にあると判断して、前記表示制御装置を再起動し、前記表示制御装置が正常に復帰した場合に、前記記憶された画面切替情報の内の最新の情報を障害履歴情報として前記表示制御装置に送信し、
前記表示制御装置が、前記障害履歴情報を受信して、前記障害履歴情報にて示される、前記障害発生時に表示していたコンテンツから表示を再開させることを特徴とする障害復帰方法。
【請求項２】
表示装置に複数のコンテンツを順次表示させる表示制御装置における動作状態を監視装置で監視して、障害状態にある場合には前記表示制御装置を再起動して復帰させる障害復帰方法であって、
表示制御装置が、定期的に現在時刻情報を監視装置に送信し、表示コンテンツを切り替える際に、これから表示するコンテンツを前記表示装置に出力すると共に前記コンテンツを示す情報を画面切替情報として前記監視装置に送信し、
前記監視装置が、前記送信された現在時刻情報と画面切替情報とを記憶しておき、現在時刻情報が予め設定された特定時間に亘って受信されない場合に、前記表示制御装置が障害状態にあると判断して、前記表示制御装置を再起動し、前記表示制御装置が正常に復帰した場合に、前記記憶された現在時刻情報の内の最新の情報と、前記記憶された画面切替情報の内の最新の情報とを含む障害履歴情報を前記表示制御装置に送信し、
前記表示制御装置が前記障害履歴情報を受信して、前記障害履歴情報の内の画面切り替え情報にて示される、前記障害発生時に表示していたコンテンツから表示を再開させることを特徴とする障害復帰方法。
【発明の詳細な説明】
【０００１】
【発明の属する技術分野】
本発明は、表示装置に複数のコンテンツを順次表示させる表示制御装置において発生した障害を検知して動作を復帰させる障害復帰方法に係り、特に表示制御装置が正常に復帰した場合、障害発生時に表示していたコンテンツから表示を再開させて利便性を向上させることができ、また、障害解析を容易にすることができる障害復帰方法に関する。
【０００２】
【従来の技術】
従来の表示システムについて図５を用いて説明する。図５は、従来の表示システムを含む情報伝達システムを示す構成ブロック図である。
従来の情報伝達システムは、入力装置１とサーバ２とから成る本部システムと、表示制御装置４″と表示装置６と監視装置５″とから成る支部システムと、本部システムと支部システムとを接続するネットワーク３とから構成されており、本部システムにおいて作成及び配信される静止画、動画、文字情報などの各種コンテンツを、支部システムにおいて受信し、合成して表示するため、支部システムを表示システムと称している。
【０００３】
従来の表示システムは、本部システムから配信されるコンテンツをネットワーク３を介して受信して、表示画面等を合成して出力し、指示に応じて応答の信号を出力する表示制御装置４″と、表示制御装置４″に障害が発生したことを検知すると、表示制御装置４″を再起動する監視装置５″と、表示制御装置４″が出力したコンテンツを表示する手段としての表示装置６とから構成されている。
【０００４】
表示制御装置４″は、例えば汎用のパーソナルコンピュータ（情報処理装置）であって、ネットワーク３を介して本部システムから受信した各種コンテンツをスケジュール化し、コンテンツ画面を切り替えながら表示装置６に出力させるものである。
また、表示制御装置４″は、監視装置５″から特定の信号の入力を受けて、監視装置５″に応答信号を出力するものである。
【０００５】
監視装置５″は、表示制御装置４″の電源を管理するものであり、表示制御装置４″に特定の信号（ポーリングコマンド）を定期的に出力して、応答信号の入力を待機し、応答信号の入力が一定の期間受信できないと、表示制御装置４″の主電源を切断してから再投入するものである。
【０００６】
一方、従来の本部システムは、静止画、動画、文字情報などを含むコンテンツを入力する手段である入力装置１と、入力装置１から入力されたコンテンツを指示に従って伝送する手段であるサーバ２とから構成されている。
また、ネットワーク３は、コンテンツを伝達するＬＡＮ（Local Area Network）手段又はＷＡＮ（Wide Area Network）手段である。
【０００７】
次に、上記表示システムにおける従来の障害復帰方法について説明する。
上記表示システムにおいて、表示制御装置４″が正常に動作している場合には、監視装置５″が表示制御装置４″にポーリングコマンドを出力し、表示制御装置４″がこれに対して応答信号を監視装置５″に出力する。しかし、表示制御装置４″で何らかの障害が発生し、表示装置６の画面が次のコンテンツ画面に切り替わらなかったり、表示画面が消えた場合等には、表示制御装置４″が監視装置５″へ応答信号を出力することができなくなり、監視装置５″は、一定の時間が経過しても応答信号の入力を受けることがないため、表示制御装置４″の主電源を切断してから再投入を行う。
以上の動作により、表示制御装置４″に何らかの障害が発生した場合に、自動的に表示制御装置４″を再起動するようになっていた。
【０００８】
尚、障害復帰方法の従来技術としては、平成６年９月９日公開の特開平６−２５０８６５号「ウインドウシステムの障害時対応方法」（出願人：富士ゼロックス株式会社、発明者：武田優）がある。
この従来技術は、サーバークライアントモデルに基づくウインドウシステムにおいて、ウインドウサーバーを介してアプリケーションを実行している状態で、ウインドウサーバが停止した場合、直接アプリケーションを実行し、また、直接アプリケーションを実行している状態でウインドウサーバーを再起動し、再びウインドウサーバーを介してアプリケーションを実行するようにしているため、ウインドウサーバーの異常終了に基づくアプリケーションの処理の強制終了によるデータの損失やファイルの損失などを防ぐことができるとともに、ウインドウサーバーが異常終了する前の状態に復帰させることができるものである。
【０００９】
【発明が解決しようとする課題】
しかしながら、従来の障害復帰方法では、表示制御装置４″における障害発生時に表示装置６に表示させていたコンテンツが把握できないため、表示制御装置４″が復帰した後、表示すべきコンテンツから表示を再開することができず不便であり、また、障害解析が困難であるという問題点があった。
【００１０】
本発明は上記実情に鑑みて為されたもので、表示制御装置が正常に復帰した場合に、障害発生時に表示していたコンテンツを把握することにより、障害発生時に表示していたコンテンツから表示を再開して利便性を向上させ、また、障害解析を容易にすることができる障害復帰方法を提供することを目的とする。
【００１１】
【課題を解決するための手段】
上記従来例の問題点を解決するための本発明は、表示制御装置が、表示コンテンツを切り替える際に、これから表示するコンテンツを表示装置に出力すると共に当該コンテンツを示す情報を画面切替情報として監視装置に送信し、監視装置が送信された画面切替情報を記憶しておき、画面切替情報が予め設定された特定時間に亘って受信されない場合に、表示制御装置が障害状態にあると判断して、表示制御装置を再起動し、表示制御装置が正常に復帰した場合に、記憶された画面切替情報の内の最新の情報を障害履歴情報として表示制御装置に送信し、表示制御装置が、障害履歴情報を受信して、当該情報にて示される、障害発生時に表示していたコンテンツから表示を再開させる障害復帰方法であり、表示制御装置が障害から正常に復帰した時、障害発生時に表示していたコンテンツを把握することにより、障害発生時に表示していたコンテンツから表示を再開して利便性を向上させることができ、また、障害解析を容易にすることができる。
【００１２】
また、本発明は、表示制御装置が、定期的に現在時刻情報を監視装置に送信し、表示コンテンツを切り替える際に、これから表示するコンテンツを表示装置に出力すると共に当該コンテンツを示す情報を画面切替情報として監視装置に送信し、監視装置が、送信された現在時刻情報と画面切替情報とを記憶しておき、現在時刻情報が予め設定された特定時間に亘って受信されない場合に、表示制御装置が障害状態にあると判断して、表示制御装置を再起動し、表示制御装置が正常に復帰した場合に、記憶された現在時刻情報の内の最新の情報と、記憶された画面切替情報の内の最新の情報とを含む障害履歴情報を表示制御装置に送信し、表示制御装置が障害履歴情報を受信して、当該障害履歴情報の内の画面切り替え情報にて示される、障害発生時に表示していたコンテンツから表示を再開させる障害復帰方法であり、表示制御装置が障害から正常に復帰した時、障害発生時に表示していたコンテンツを把握することにより、障害発生時に表示していたコンテンツから表示を再開して利便性を向上させることができ、また、障害発生時に表示していたコンテンツに加えて障害発生直前の時刻を把握することにより、障害解析を一層容易にすることができるものである。
【００１３】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１４】
本発明に係る障害復帰方法は、監視装置が、表示制御装置における動作状態を監視するとともに、表示制御装置が表示コンテンツを切り替える際に送信する画面切替情報を記憶しておき、画面切替情報が予め設定された特定時間に亘って受信されなければ、表示制御装置を再起動し、表示制御装置が正常に復帰した場合に、記憶する最新の画面切替情報を障害履歴情報として表示制御装置に送信し、表示制御装置が、障害履歴情報に基づいてコンテンツの表示を再開するものであり、表示制御装置が障害から正常に復帰した時、障害発生時に表示していたコンテンツを把握することにより、障害発生時に表示していたコンテンツから表示を再開して利便性を向上させることができ、また、障害解析を容易にすることができるものである。
【００１５】
図１は、本発明の実施の形態に係る障害復帰方法を実現する表示システムを含む情報伝達システムの構成ブロック図である。尚、図５と同様の構成をとる部分については同一の符号を付して説明する。
本発明の実施の形態に係る障害復帰方法を実現する表示システム（以後、本システムと称する）は、図４に示した従来の表示システムと同様に、表示制御装置４と、監視装置５及び表示装置６とから構成されるが、表示制御装置４及び監視装置５における処理及び制御は従来と一部異なっている。
【００１６】
本システムの特徴として、表示制御装置４から上位のサーバ２への送信が可能であり、また、監視装置５とサーバ２との間での送受信が可能となっている。
【００１７】
本システムの表示制御装置４は、図５に示した従来の表示制御装置４″と同様に、ネットワークを介して本部システムから受信した複数のコンテンツをスケジュール化し、一定周期でコンテンツ画面を切り替えながら、表示装置６に順次表示させるものである。
【００１８】
更に、本システムの特徴として、表示制御装置４は、正常動作時に、画面切り替えの度に次に表示するコンテンツの情報を画面切替情報として監視装置５へ送信するものである。
【００１９】
更にまた、本システムの特徴として、表示制御装置４は、障害状態から復帰した際に監視装置５から送信される障害履歴情報を受信して、当該障害履歴情報に基づいてコンテンツ表示を再開するものである。
【００２０】
後述するように、障害履歴情報は、最新の画面切替情報であるため、本システムの表示制御装置４は、障害復帰時に、障害発生時に表示していたコンテンツから表示を再開することができるものである。
【００２１】
そして、監視装置５は、従来の監視装置５″と同様に表示制御装置４の電源を管理するものである。
また、本システムの特徴として、監視装置５は、表示制御装置４から送信される画面切替情報を常に監視して記憶しておき、表示制御装置４において障害が発生した場合には表示制御装置４をリブートすると共に記憶しておいた画面切替情報の内、最新の情報を障害履歴情報として表示制御装置４に送信するものである。
【００２２】
具体的には、監視装置５は、予め設定された時間に亘って画面切替情報を受信しなければ、表示制御装置４に障害が発生したと判断し、表示制御装置４への主電源を切断してから再投入するリブート処理を行い、表示制御装置４が正常動作を再開した後、最新の画面切替情報を障害履歴情報として表示制御装置４へ送信するものである。尚、画面切替情報の受信を待機する時間は、表示制御装置４におけるコンテンツの表示切り替え周期よりも長く設定されるものである。
【００２３】
このとき、表示制御装置４へ送信された障害履歴情報は、表示制御装置４に障害が発生した時に表示装置６に表示されていたコンテンツの情報と同一のものとなる。
【００２４】
次に、本システムの特徴部分である表示制御装置４と監視装置５の各構成部分について、図２を用いて具体的に説明する。図２は、本発明の実施の形態に係る障害復帰方法を実現する表示システム（本システム）の構成ブロック図である。尚、表示制御装置４に接続されている表示装置６は、従来と同様であるため、ここでは図示及び説明を省略する。
【００２５】
表示制御装置４は、メインプログラム４１と、各種コンテンツを表示装置６へ出力するタイミングの管理等を行うスケジュールプログラム４２と、表示装置６の画面に画像を出力させるための描画プログラム４３及びその他プログラムとから主に構成されている。
【００２６】
スケジュールプログラム４２は、コンテンツの表示スケジュールを管理するものである。
具体的には、スケジュールプログラム４２は、コンテンツを表示するスケジュールを記憶しており、予め受信して記憶しておいた表示スケジュールに従って各種コンテンツを表示装置６へ出力するタイミングを管理し、メインプログラム４１に次に表示するコンテンツの情報と、表示装置６におけるコンテンツ画面の切り替え指示を送出するものである。
【００２７】
メインプログラム４１は、表示制御装置４内の各プログラムの管理をするものであり、具体的には、各プログラムが正常に動作しているか否かを診断するための動作診断コマンドを各プログラムに発行し、応答があれば正常に動作していると判断し、特に表示制御装置４の立ち上げ直後の動作診断コマンドの発行によって正常に動作していると判断した場合、監視装置５に正常動作を通知する信号を送信するものである。
【００２８】
また、メインプログラム４１は、ネットワークを介して本部システムから複数のコンテンツを受信して記憶するとともに、スケジュールプログラム４２にコンテンツを受信したことを通知するものである。
【００２９】
更に、本システムの特徴として、メインプログラム４１は、コンテンツ画面を切り替えた場合に、画面切替情報を監視装置５に送出するものである。
【００３０】
具体的には、メインプログラム４１は、スケジュールプログラム４２から画面切り替えの指示として次に表示するコンテンツの情報が入力されると、自己のＩＤを付加して画面切替情報として監視装置５に送出するようになっている。
【００３１】
画面切替情報に含まれる次に表示するコンテンツの情報としては、コンテンツタイトルそのものでも良く、また、コンテンツの表示順に連番をつけ、その番号を表示制御装置４と監視装置５で把握して管理しているものでも良い。
【００３２】
また、表示制御装置４のＩＤとしては、例えば、表示制御装置４がパソコンであれば、パソコン内のハードディスクボリュームの番号や、パソコン本体の製造番号等を用いることができる。
【００３３】
表示制御装置４は、具体的にはパソコン等の情報処理装置であり、メインプログラム４１はオペレーティングシステムであることが考えられる。
【００３４】
また、監視装置５は、ＣＰＵ５１と、電源５２と、ＣＰＵ５１の動作クロックを提供する水晶発振器５３と、現在時刻を計時するリアルタイムクロック５４と、表示制御装置４に対するインターフェース手段である外部インターフェース５５と、ＣＰＵ５１から入力される指示に基づいて発光、消灯するＬＥＤを具備するＬＥＤ表示部５６と、表示制御装置４の電源をＯＮ／ＯＦＦするリレー５７とから構成されている。
【００３５】
ＣＰＵ５１は、表示制御装置４から外部インターフェース５５を介して画面切替情報の受信を待機し、画面切替情報をロギング情報として内部メモリに逐次記憶しておき、予め設定された時間に亘って画面切替情報の受信がない場合は、リレー５７をＯＦＦ／ＯＮして表示制御装置４を再起動（リブート）させるものである。
【００３６】
ＣＰＵ５１の内部メモリとしては、電源が切断されても情報が消えないフラッシュメモリ等の不揮発性メモリが適している。
尚、ロギング情報の記憶に割り当てた記憶領域が満杯になった場合、古いデータから順に削除し、新しいデータを上書きしていけばよい。
【００３７】
ここで、ＣＰＵ５１としては、汎用のもの、例えば、ＨＤ６４３３２５８Ｐ（Ｈ８）等のＣＰＵで構わない。また、この場合には、水晶発振器５３は、例えば、１４．７４５６ＭＨｚの周波数の信号を発振するものであることが考えられる。
【００３８】
また、リレー５７の前後には、過大な電流が流れることにより、回路が破損するのを防止するために、ヒューズ（サーキットブレーカー）等が設けられているのが本来の構成であるが、ここでは記載を省略している。
【００３９】
外部インタフェースは５５は、ＲＳ２３２Ｃ等のシリアルインターフェースや、プリンタポートなどのパラレルインターフェースであることが好適である。
【００４０】
ＬＥＤ表示部５６は、監視装置５の電源がＯＮであると点灯し、ＯＦＦであると消灯する第１のＬＥＤと、監視動作を行っていることを表す第２のＬＥＤと、表示制御装置４の電源がＯＮであるかＯＦＦであるかを表す第３のＬＥＤとを備えているものが好適である。
【００４１】
また、ＬＥＤ表示部５６は、電源制御動作を行った回数をカウントするカウンタを具備し、当該回数を表示する７セグメントＬＥＤを備えるものであっても構わない。
この場合には、ＣＰＵ５１から電源制御動作を行ったことを表す信号の入力を受けるようにしておくことが考えられる。
【００４２】
次に、本発明の実施の形態に係る障害復帰方法を含む本システムにおける動作について図２を用いて説明する。
本システムの表示制御装置４では、装置立ち上げ後、メインプログラム４１が、内部の各プログラムに対して定期的に動作診断コマンドを発行し、各プログラムからの応答を受けて正常と判断した場合、監視装置５に正常動作を通知する信号を送信する。
続いて、メインプログラム４１が、ネットワークを介して本部システムから各種コンテンツを受信して特定の記憶エリアに受信コンテンツを記憶する。
【００４３】
そして、スケジュールプログラム４２は、予め受信して記憶しておいた表示スケジュールに従って各種コンテンツを表示装置６へ出力するタイミングを管理し、コンテンツ画面切り替えのタイミングになった場合に、メインプログラム４１に次に表示させるコンテンツの情報と表示装置６におけるコンテンツ画面の切り替え指示を送出する。
【００４４】
そして、メインプログラム４１は、コンテンツ画面の切り替え指示に従ってコンテンツ画面を切り替えて表示装置６へ表示させると同時に、スケジュールプログラム４２から受信したコンテンツ情報に自己のＩＤを付して、画面切替情報として監視装置５へ送信する。
【００４５】
一方、監視装置５のＣＰＵ５１は、表示制御装置４から外部インターフェース５５を介して画面切替情報の受信を待機し、画面切替情報を受信すると内部メモリに逐次記憶しておく。
【００４６】
そして、ＣＰＵ５１は、予め設定された時間に亘って画面切替情報の受信がない場合は、リレー５７をＯＦＦ／ＯＮして表示制御装置４を再起動（リブート）させるとともに、最新の画面切替情報を読み出して、障害履歴情報として内部メモリの別のエリアに一旦保管し、表示制御装置４へ送信する準備を行う。
【００４７】
表示制御装置４のメインプログラム４１は、監視装置５によるリレー５７のＯＦＦ／ＯＮにより、立ち上げ処理を行い、立ち上げ処理が正常に終了した段階で、各プログラムが正常に動作しているか否かを診断するための動作診断コマンドを各プログラムに発行し、応答があれば正常に動作していると判断し、監視装置５に正常動作を通知する信号を送信する。
【００４８】
監視装置５のＣＰＵ５１は、表示制御装置４から送信された正常動作を通知する信号を受信すると、表示制御装置４が正常動作を開始したと判断し、内部メモリに保管していた障害履歴情報を表示制御装置４へ送信する。
【００４９】
そして、表示制御装置４のメインプログラム４１は、障害履歴情報を受信して記憶しておくと共に、障害履歴情報に基づいて障害発生時に表示していたコンテンツを認識し、障害発生前に本部システムから受信して記憶していたコンテンツを参照して、障害発生時に表示していたコンテンツから順次表示装置６へ出力して表示させる。
【００５０】
これにより表示制御装置４では、障害から復帰した場合に、障害発生時に表示していたコンテンツから表示を再開することができるものであり、利便性を向上させることができるものである。
また、表示制御装置４が障害発生時に表示していたコンテンツを把握できるので、障害解析に要する時間を短縮することができるものである。
【００５１】
また、表示制御装置４は、障害履歴情報を受信することにより、図１に示した本部システムのサーバ２に対してＬＡＮ、ＷＡＮ経由で障害履歴情報を通知することが可能である。
【００５２】
障害履歴情報を上位装置であるサーバ２に通知する方法としては、表示制御装置４のメインプログラム４１がサーバ２に対して障害履歴情報（表示制御装置４のＩＤ情報を含む）を自ら発行する方法か、又は、サーバ２から表示制御装置４に対して周期的にコマンドを発行して問診を行い、表示制御装置４に障害が発生していた場合、すなわち表示制御装置４が新たな障害履歴情報を保持していた場合に、その障害履歴情報をサーバ２に返信する方法とが考えられる。
【００５３】
更に、表示制御装置４がサーバ２に対して障害履歴情報を自ら発行した場合、サーバ２が当該障害履歴情報に基づいて、障害が発生する前に表示制御装置４へ送信していたコンテンツの内、障害が発生した時点で表示していたコンテンツ以降の情報を、再度表示制御装置４へ送信することも可能である。
【００５４】
サーバ２が障害発生以降のコンテンツを再送することにより、表示制御装置４は、障害発生によって以前受信したコンテンツに不具合が生じていた場合でも、復帰後は再送されたコンテンツのデータに基づいて表示を行うことができ、誤りの少ない表示を行うことができるものである。
【００５５】
また、表示制御装置４に重度の障害が発生し、表示制御装置４が立ち上がらない状態に陥った場合、代替のパソコン等を使用して、監視装置５に記憶されている表示制御装置４のロギング情報を取得して調査することも可能である。
【００５６】
もしくは、監視装置５に入力部と表示部を設けておき、入力部からの操作により、監視装置５のフラッシュメモリ等の不揮発性メモリに記憶した表示制御装置４の履歴情報を監視装置５の表示部に表示させることも可能である。
【００５７】
本発明の実施の形態に係る障害復帰方法によれば、表示制御装置４が、コンテンツ画面を切り替えて表示装置６へ表示させる際に、次に表示させるコンテンツ情報を画面切替情報として監視装置５へ送信し、監視装置５が、表示制御装置４から送信される画面切替情報を常に監視するとともに、画面切替情報を内部メモリに逐次記憶させておき、予め設定された時間に亘って画面切替情報を受信しない場合、表示制御装置４に障害が発生したと判断して、リレー５７をＯＦＦ／ＯＮして表示制御装置４を再起動（リブート）させるとともに、最新の画面切替情報を障害履歴情報として内部メモリに一旦保管しておき、表示制御装置４が正常動作を再開した後、内部メモリに保管していた障害履歴情報を表示制御装置４へ送信するようにしているので、表示制御装置４は、障害復帰後に障害履歴情報を受信して、障害発生時に表示していたコンテンツを把握することにより、障害発生時に表示していたコンテンツから順次表示装置６へ出力して表示させることができ、利便性を向上させることができる効果がある。
【００５８】
また、表示制御装置４が障害発生時に表示していたコンテンツを把握することにより、障害解析を容易にすることができる効果がある。
【００５９】
また、表示制御装置４が障害履歴情報をサーバ２に送信することにより、上位装置であるサーバ２が表示制御装置４の障害履歴情報を把握することができ、複数の表示制御装置４を備えている場合には各表示制御装置４の障害履歴情報を一括管理でき、システムのメンテナンスに役立てることができる効果がある。
【００６０】
次に、本発明の別の実施の形態に係る障害復帰方法（別の方法）について説明する。
本発明に係る別の障害復帰方法は、表示制御装置が、画面切り替え時に画面切替情報を監視装置に送信するだけでなく、装置内部で管理している現在時刻情報を定期的に監視装置に送信し、監視装置が、現在時刻情報に基づいて表示制御装置における障害発生を判断するようにしたものである。
【００６１】
本発明の別の実施の形態に係る障害復帰方法を実現する表示システム（別の表示システム）及び別の表示システムを含む情報伝達システムの構成は、図１に示した情報伝達システムと同様であるため説明を省略する。但し、監視装置及び表示制御装置における処理及び動作が一部異なっている。
【００６２】
次に、別の表示システムの特徴部分である表示制御装置と監視装置について図３を用いて説明する。図３は、別の表示システムの特徴部分である表示制御装置と監視装置の構成ブロック図である。
図３に示すように、別の表示システムでは表示制御装置４′のメインプログラム４１′と、監視装置５′のＣＰＵ５１′における処理が図２に示したメインプログラム４１及びＣＰＵ５１とは図２とは一部異なっている。
【００６３】
別の表示システムにおける表示制御装置４′の特徴として、メインプログラム４１′は、正常動作時に、画面切替情報と現在時刻情報を個別のタイミングでそれぞれ送信するものである。
【００６４】
画面切替情報は、前述の実施の形態において説明した例と同様に、次に表示するコンテンツのタイトル等の情報であり、コンテンツ画面を切り替える毎に監視装置５へ送信されるものである。
現在時刻情報は、表示制御装置４の内部の現在時刻（日付及び時刻）であり、予め設定された間隔で定期的に監視装置５へ送信されるものである。ここで、現在時刻情報の送信間隔は、コンテンツ画面の切り替え間隔よりも短く設定されている。
【００６５】
すなわち、メインプログラム４１′は、定期的に現在時刻を読み取って現在時刻情報として監視装置５に送信すると共に、コンテンツ画面切り替え時には、これから表示するコンテンツの情報を画面切替情報として監視装置５に送信するものである。
【００６６】
表示制御装置４から監視装置５へ送信する画面切替情報には、必要に応じて現在時刻を付加して送信してもよい。この場合の現在時刻は、表示制御装置４における画面切り替えの時刻を示すものとなる。
【００６７】
また、別の表示システムの監視装置５′のＣＰＵ５１′は、表示制御装置４′から送信される画面切替情報と現在時刻情報を常に監視するとともに、画面切替情報と現在時刻情報をロギング情報として内部メモリに逐次記憶させるものである。
【００６８】
別の表示システムの特徴として、ＣＰＵ５１′は、表示制御装置４′の障害発生を現在時刻情報の受信に基づいて判断するものである。すなわち、ＣＰＵ５１′は、予め設定された時間に亘って現在時刻情報を受信しなければ、表示制御装置４′に障害が発生したと判断し、表示制御装置４への主電源を切断してから再投入するリブート処理を行うものである。
【００６９】
更に、ＣＰＵ５１′は、表示制御装置４が正常動作を再開した後、内部メモリに記憶しているロギング情報の内、最新の画面切替情報と最新の現在時刻情報とを障害履歴情報として表示制御装置４へ送信するものである。
【００７０】
ここで、別の障害復帰方法において監視装置５′から表示制御装置４′に送信される障害履歴情報について図４を用いて説明する。図４は、別の障害復帰方法において監視装置から表示制御装置へ送信される障害履歴情報のデータフォーマットを示す模式説明図である。
図４に示すように、障害履歴情報は、宛先となる表示制御装置４（パソコン）のＩＤ情報と、最新の現在時刻情報に基づいた日付情報及び現在時刻と、最新の画面切替情報に基づいたコンテンツのタイトルを示す情報（コンテンツタイトル情報）とを含むものである。
【００７１】
尚、ＣＰＵ５１′において表示制御装置４′からの現在時刻情報の受信を待機する時間は、前述の実施の形態においてＣＰＵ５１が画面切替情報の受信を待機する時間に比べて短く設定することが妥当である。
この設定により、表示制御装置が正常時に画面切替情報のみを監視装置に送信する方法に比べて、画面切替情報と現在時刻情報の両者を送信する別の方法は、障害の発生した時刻を正確に把握することができ、障害解析を一層容易にすることができるものである。
【００７２】
次に、本発明の別の実施の形態に係る障害復帰方法について図３を用いて説明する。
メインプログラム４１′は、スケジュールプログラム４２から次に表示するコンテンツの情報と表示装置６におけるコンテンツ画面の切り替え指示を受けると、コンテンツ画面を切り替えて表示装置６へ表示させると同時に、スケジュールプログラム４２から受信したコンテンツ情報を、画面切替情報として監視装置５′へ送信する。
【００７３】
また、メインプログラム４１′は、正常動作時において、コンテンツを切り替える際に監視装置５′へ送信する画面切替情報とは別に、予め設定された間隔で定期的に、表示制御装置４′の内部で管理されている現在時刻を現在時刻情報として監視装置５′へ送信する。
【００７４】
監視装置５′のＣＰＵ５１は、表示制御装置４から外部インターフェース５５を介して画面切替情報と現在時刻情報の受信を待機し、画面切替情報と現在時刻情報を内部メモリに逐次記憶させておき、予め設定された時間に亘って現在時刻情報の受信がない場合は、リレー５７をＯＦＦ／ＯＮして表示制御装置４′を再起動（リブート）させるとともに、最新の画面切替情報と現在時刻情報を障害履歴情報として内部メモリに一時保管し、表示制御装置４′へ送信する準備を行う。
【００７５】
そして、表示制御装置４′のメインプログラム４１′は、リレー５７のＯＦＦ／ＯＮにより、立ち上げ処理を行い、立ち上げ処理が正常に終了した段階で、各プログラムが正常に動作しているか否かを診断するための動作診断コマンドを各プログラムに発行し、応答があれば正常に動作していると判断し、監視装置５′に正常動作を通知する信号を送信する。
【００７６】
監視装置５のＣＰＵ５１′は、表示制御装置４′から送信された正常動作を通知する信号を受信すると、表示制御装置４′が正常動作を開始したと判断し、内部メモリに保管していた最新の画面切替情報と最新の現在時刻情報を含む障害履歴情報を図４に示したフォーマットにて表示制御装置４′へ送信する。
【００７７】
そして、表示制御装置４′のメインプログラム４１′は、障害履歴情報を受信して障害発生時に表示していたコンテンツを把握し、障害発生前に本部システムから受信して記憶していたコンテンツを参照し、障害発生時に表示していたコンテンツから順次表示装置６へ出力し、表示させるようになっている。
【００７８】
本発明の別の実施の形態に係る障害復帰方法（別の障害復帰方法）によれば、表示制御装置４′が、コンテンツ画面を切り替えて表示装置６へ表示させる際に、次に表示させるコンテンツ情報を画面切替情報として監視装置５′へ送信し、さらに、予め設定された間隔で定期的に、表示制御装置４′の内部で管理されている現在時刻を監視装置５′へ送信し、監視装置５′が、表示制御装置４′から送信される画面切替情報と現在時刻情報を常に監視するとともに、画面切替情報と現在時刻情報を内部メモリに逐次記憶させておき、予め設定された時間に亘って現在時刻情報を受信しない場合、表示制御装置４′に障害が発生したと判断して、リレー５７をＯＦＦ／ＯＮして表示制御装置４′を再起動（リブート）させるとともに、最新の画面切替情報と現在時刻情報を障害履歴情報として内部メモリに保管しておき、表示制御装置４′が正常動作を再開した後、内部メモリに保管していた障害履歴情報を表示制御装置４′へ送信し、表示制御装置４′が当該障害履歴情報に基づいて表示を再開するようにしているので、表示制御装置４′は、障害から復帰後、障害発生時に表示していたコンテンツから順次表示装置６へ出力して表示させることができ、利便性を向上させることができるという効果がある。
【００７９】
また、別の障害復帰方法によれば、監視装置５′が障害履歴情報として最新の画面切替情報と最新の現在時刻情報とを表示制御装置４′に送信するようにしているので、表示制御装置４′は、障害発生時に表示していたコンテンツに加えて、障害発生直前の時刻を把握することができ、障害解析を一層容易にすることができるという効果がある。
【００８０】
【発明の効果】
本発明によれば、表示制御装置が、表示コンテンツを切り替える際に、これから表示するコンテンツを表示装置に出力すると共に当該コンテンツを示す情報を画面切替情報として監視装置に送信し、監視装置が送信された画面切替情報を記憶しておき、画面切替情報が予め設定された特定時間に亘って受信されない場合に、表示制御装置が障害状態にあると判断して、表示制御装置を再起動し、表示制御装置が正常に復帰した場合に、記憶された画面切替情報の内の最新の情報を障害履歴情報として表示制御装置に送信し、表示制御装置が、障害履歴情報を受信して、当該情報にて示される、障害発生時に表示していたコンテンツから表示を再開させる障害復帰方法としているので、表示制御装置が障害状態から正常に復帰した時、障害発生時に表示していたコンテンツを把握することにより、障害発生時に表示していたコンテンツから表示を再開して利便性を向上させることができ、また、障害解析を容易にすることができるという効果がある。
【００８１】
また、表示制御装置が、定期的に現在時刻情報を監視装置に送信し、表示コンテンツを切り替える際に、これから表示するコンテンツを表示装置に出力すると共に当該コンテンツを示す情報を画面切替情報として監視装置に送信し、監視装置が、送信された現在時刻情報と画面切替情報とを記憶しておき、現在時刻情報が予め設定された特定時間に亘って受信されない場合に、表示制御装置が障害状態にあると判断して、表示制御装置を再起動し、表示制御装置が正常に復帰した場合に、記憶された現在時刻情報の内の最新の情報と、記憶された画面切替情報の内の最新の情報とを含む障害履歴情報を表示制御装置に送信し、表示制御装置が障害履歴情報を受信して、当該障害履歴情報の内の画面切り替え情報にて示される、障害発生時に表示していたコンテンツから表示を再開させる障害復帰方法としているので、表示制御装置が障害から正常に復帰した時、障害発生時に表示していたコンテンツを把握することにより、障害発生時に表示していたコンテンツから表示を再開させて利便性を向上させることができ、また、障害発生時に表示していたコンテンツに加えて障害発生直前の時刻を把握することにより、障害解析を一層容易にすることができるという効果がある。
【図面の簡単な説明】
【図１】本発明の実施の形態に係る障害復帰方法を実現する表示システムを含む情報伝達システムの構成ブロック図である。
【図２】本発明の実施の形態に係る表示システム（本システム）の構成ブロック図である。
【図３】別の表示システムの特徴部分である表示制御装置と監視装置の構成ブロック図である。
【図４】別の障害復帰方法において監視装置から表示制御装置へ送信される障害履歴情報のデータフォーマットを示す模式説明図である。
【図５】従来の表示システムを含む情報伝達システムの構成ブロック図である。
【符号の説明】
１…入力装置、  ２…サーバ、  ３…ネットワーク、  ４…表示制御装置、  ５…監視装置、  ６…表示装置、  ４１…メインプログラム、  ４２…スケジュールプログラム、  ４３…描画プログラム、  ５１…ＣＰＵ、  ５２…電源、  ５３…水晶発振器、  ５４リアルタイムクロック…、  ５５…外部インターフェース、  ５６…ＬＥＤ表示部、  ５７…リレー
【図１】
0004476464.tif 000002
【図２】
0004476464.tif 000003
【図３】
0004476464.tif 000004
【図４】
0004476464.tif 000005
【図５】
0004476464.tif 000006